(57)【要約】【課題】記録規格制限の上限を超えた場合においても、適正コストと処理負荷内での記録を可能にする記録装置及び方法、並びにプログラム及び記録媒体を提供する。【解決手段】ＣＰＵ１１８は、動画記録モードで記録コンテンツ数が所定の制限を超えたか否か判断し、記録コンテンツ数が所定の制限を超えた場合、その旨表示するとともに、静止画記録モードに切替える。画像圧縮データと音声圧縮データは記録媒体１１６に記録される。【選択図】図７
2007295070.tif 000002
【特許請求の範囲】
【請求項１】
記録媒体に、動画記録規格で記録する動画記録モードと、静止画記録規格で記録する静止画記録モードを備える記録装置において、
前記動画記録モードで記録コンテンツ数が所定の制限を超えたか否か判断する動画記録制限手段と、
記録コンテンツ数が所定の制限を超えた場合、その旨表示するとともに、前記静止画記録モードに切替える警告表示・モード切替手段と、
を備えることを特徴とする記録装置。
【請求項２】
前記動画記録モードで記録コンテンツ数が所定の制限を超えた場合、前記動画記録モードで記録される第１のディレクトリ、及び前記静止画記録モードで記録される第２のディレクトリ以外に、動画を記録するディレクトリを作成するディレクトリ作成手段を備えることを特徴とする請求項１記載の記録装置。
【請求項３】
記録媒体に、動画記録規格で記録する動画記録モードと、静止画記録規格で記録する静止画記録モードを備える記録装置の記録方法において、
前記動画記録モードで記録コンテンツ数が所定の制限を超えたか否か判断する動画記録制限ステップと、
記録コンテンツ数が所定の制限を超えた場合、その旨表示するとともに、前記静止画記録モードに切替える警告表示・モード切替ステップと、
を備えることを特徴とする記録方法。
【請求項４】
前記動画記録モードで記録コンテンツ数が所定の制限を超えた場合、前記動画記録モードで記録される第１のディレクトリ、及び前記静止画記録モードで記録される第２のディレクトリ以外に、動画を記録するディレクトリを作成するディレクトリ作成ステップを備えることを特徴とする請求項３記載の記録方法。
【請求項５】
記録媒体に、動画記録規格で記録する動画記録モードと、静止画記録規格で記録する静止画記録モードを備える記録装置の記録プログラムにおいて、
前記動画記録モードで記録コンテンツ数が所定の制限を超えたか否か判断する動画記録制限モジュールと、
記録コンテンツ数が所定の制限を超えた場合、その旨表示するとともに、前記静止画記録モードに切替える警告表示・モード切替モジュールと、
をコンピュータに実行させることを特徴とする記録プログラム。
【請求項６】
請求項５記載の記録プログラムを格納するコンピュータ読み取り可能な記録媒体。
【請求項７】
記録媒体に対して情報データを記録する記録手段と、
前記記録媒体に対して第１の規格に従い前記情報データを記録する第１のモードと、前記記録媒体に対して第２の規格に従い前記情報データを記録する第２のモードの一方を選択するモード切り替え手段と、
前記第１の規格にて前記記録媒体に記録されている前記情報データの数が前記第１の規格に従う所定数に達したことを検出する検出手段と、
前記検出手段の出力に応じて、前記第２のモードにて前記情報データを記録するよう前記記録手段を制御する制御手段とを備える記録装置。
【請求項８】
前記制御手段は、前記モード切り替え手段により前記第１のモードが選択されていた場合であっても、前記検出手段の出力があった場合には前記第２のモードに切り替えることを特徴とする請求項７記載の記録装置。
【請求項９】
前記制御手段は、前記検出手段の出力に応じて、前記第２のモードに設定する旨を示す情報を表示装置に表示することを特徴とする請求項７記載の記録装置。
【請求項１０】
前記第１の規格に従って記録された情報データは前記第１の規格に対応する再生装置でのみ再生可能であり、前記第２の規格に従って記録された情報データは前記第２の規格に対応する再生装置でのみ再生可能であることを特徴とする請求項７記載の記録装置。
【請求項１１】
前記記録手段は、前記第１の規格に従う管理情報を前記記録媒体に記録し、前記制御手段は、前記第１の規格の情報データが前記所定数に達した後に前記第２の規格にて前記情報データが記録された場合、その旨を示す情報を前記管理情報に格納するよう前記記録手段を制御することを特徴とする請求項７記載の記録装置。
【請求項１２】
第１の規格と第２の規格のうちの一方に従い情報データを記録媒体に記録する装置であって、
前記第１の規格にて前記記録媒体に記録されている前記情報データの数が前記第１の規格に従う所定数に達した後は、前記第２の規格にて前記情報データを前記記録媒体に記録することを特徴とする記録装置。
【請求項１３】
動画像データと静止画像データとをディスク媒体に記録する記録手段と、
ＤＶＤビデオフォーマットまたはＤＶＤビデオレコーディングフォーマットに従って前記動画像データを前記ディスク媒体に記録する動画記録モードと、ＤＣＦ規格に従って前記静止画データを前記ディスク媒体に記録する静止画記録モードとを任意に切り替えるモード切り替え手段と、
前記動画記録モードにて記録された動画像データの数が、前記ＤＶＤビデオフォーマットまたはＤＶＤビデオレコーディングフォーマットにて規定された所定数に達したことを検出する検出手段と、
前記検出手段により前記動画像データの数が前記所定値に達したことが検出された場合、前記ＤＣＦ規格に従って前記動画像データを記録するよう前記記録手段を制御する制御手段とを備える記録装置。
【請求項１４】
記録媒体に対して情報データを記録する記録ステップと、
前記記録媒体に対して第１の規格に従い前記情報データを記録する第１のモードと、前記記録媒体に対して第２の規格に従い前記情報データを記録する第２のモードの一方を選択するモード切り替えステップと、
前記第１の規格にて前記記録媒体に記録されている前記情報データの数が前記第１の規格に従う所定数に達したことを検出する検出ステップと、
前記検出ステップの出力に応じて、前記第２のモードにて前記情報データを記録するよう前記記録ステップを制御する制御ステップとを備える記録方法。
【発明の詳細な説明】
【技術分野】
【０００１】
本発明は、デジタルカメラ、デジタルビデオカメラなどの撮像装置に代表される記録装置及び方法、並びにプログラム及び記録媒体に関する。
【背景技術】
【０００２】
従来、ドラマ、スポーツ、音楽、映画などのコンテンツが、Digital  Versatile  Disc（以下ＤＶＤ）に記録されて、セルビデオまたはレンタルビデオとしてＤＶＤプレーヤーを用い家庭で鑑賞することが一般的になっている。
【０００３】
近年、ＤＶＤと互換性を有するＤＶＤ−Ｒ、または、ＤＶＤ−ＲＷなど、追記または書き換え可能の光ディスクを使用するＤＶＤレコーダによって、放送番組を記録、保存することが可能になっている。また、従来のテープ記録媒体から、ＤＶＤ−Ｒ、または、ＤＶＤ−ＲＷを記録媒体とするビデオカメラの製品が普及しつつある（例えば、特許文献１参照）。
【０００４】
ＤＶＤ−Ｒ、ＤＶＤ−ＲＷにコンテンツを記録する場合、記録媒体の記録容量を超えると記録できなくなることに加え、ＤＶＤ規格の記録制限の上限を超える場合においても記録できなくなる。
【０００５】
例えば、ＤＶＤ−Ｖｉｄｅｏ規格では、タイトル数が９９までで、タイトルに含まれるチャプタ数が９９までなどの制限がある。また、ＤＶＤビデオレコーディング規格（ＤＶＤ−ＶＲ）では、プログラム数が９９まで、動画コンテンツ数は９９９までなどの制限がある。
【０００６】
また、ＤＶＤ−Ｒ、ＤＶＤ−ＲＷなどのメディアに、ＤＶＤ−Ｖｉｄｅｏ、ＤＶＤ−ＶＲ規格に従って動画像を記録すると共に、ＤＣＦ規格に従って静止画も記録するなど、複数の記録規格に対応したビデオカメラも発売されている。
【特許文献１】特開２００２−９３０２３号公報
【発明の開示】
【発明が解決しようとする課題】
【０００７】
テレビ番組などの長時間の記録を行う場合は、大抵、一つの番組が３０分から２時間程度と比較的長時間にわたるため、一枚のディスクに記録するタイトル数もそれほど多くならない。
【０００８】
しかし、ビデオカメラの場合、一つのシーンは数秒から数十秒となることがほとんどであり、一つのディスクに多くのシーンを記録することになる。
【０００９】
そのため、シーン数が規格の上限数となってしまうとディスク残量があるにもかかわらず記録できなくなるという問題があった。
【００１０】
その場合、既に記録済みのチャプタを結合してチャプタ数を減らすことも考えられる。
【００１１】
しかしながら、そのための作業メモリ領域を大きくとる必要があり、また、処理負荷が非常に重くなるため、民生用機器としてコスト、操作処理時間などの問題が生じる。また、管理データを操作してしまうため、共通な記録規格で記録した記録媒体の再生互換に不具合を生じる可能性が非常に高いなどの問題がある。
【００１２】
また、追記型のディスクの場合、記録後にチャプタ結合などの処理ができない、という問題もあった。
【００１３】
本発明の目的は、記録媒体に記録したコンテンツの数が規定値に達した場合であっても、装置のコストや処理負荷を抑えながら、記録媒体に対する情報の記録を可能にする記録装置及び方法、並びにプログラム及び記録媒体を提供することにある。
【課題を解決するための手段】
【００１４】
上記目的を達成するために、請求項１記載の記録装置は、記録媒体に、動画記録規格で記録する動画記録モードと、静止画記録規格で記録する静止画記録モードを備える記録装置において、前記動画記録モードで記録コンテンツ数が所定の制限を超えたか否か判断する動画記録制限手段と、記録コンテンツ数が所定の制限を超えた場合、その旨表示するとともに、前記静止画記録モードに切替える警告表示・モード切替手段とを備えることを特徴とする。
【００１５】
請求項３記載の記録方法は、記録媒体に、動画記録規格で記録する動画記録モードと、静止画記録規格で記録する静止画記録モードを備える記録装置の記録方法において、前記動画記録モードで記録コンテンツ数が所定の制限を超えたか否か判断する動画記録制限ステップと、記録コンテンツ数が所定の制限を超えた場合、その旨表示するとともに、前記静止画記録モードに切替える警告表示・モード切替ステップとを備えることを特徴とする。
【００１６】
請求項５記載の記録プログラムは、記録媒体に、動画記録規格で記録する動画記録モードと、静止画記録規格で記録する静止画記録モードを備える記録装置の記録プログラムにおいて、前記動画記録モードで記録コンテンツ数が所定の制限を超えたか否か判断する動画記録制限モジュールと、記録コンテンツ数が所定の制限を超えた場合、その旨表示するとともに、前記静止画記録モードに切替える警告表示・モード切替モジュールとをコンピュータに実行させることを特徴とする。
【００１７】
請求項６記載のコンピュータ読み取り可能な記録媒体は、請求項５記載の記録プログラムを格納する。
【００１８】
請求項７記載の記録装置は、記録媒体に対して情報データを記録する記録手段と、前記記録媒体に対して第１の規格に従い前記情報データを記録する第１のモードと、前記記録媒体に対して第２の規格に従い前記情報データを記録する第２のモードの一方を選択するモード切り替え手段と、前記第１の規格にて前記記録媒体に記録されている前記情報データの数が前記第１の規格に従う所定数に達したことを検出する検出手段と、前記検出手段の出力に応じて、前記第２のモードにて前記情報データを記録するよう前記記録手段を制御する制御手段とを備える。
【００１９】
請求項１２記載の記録装置は、第１の規格と第２の規格のうちの一方に従い情報データを記録媒体に記録する装置であって、前記第１の規格にて前記記録媒体に記録されている前記情報データの数が前記第１の規格に従う所定数に達した後は、前記第２の規格にて前記情報データを前記記録媒体に記録することを特徴とする。
【００２０】
請求項１３記載の記録装置は、動画像データと静止画像データとをディスク媒体に記録する記録手段と、ＤＶＤビデオフォーマットまたはＤＶＤビデオレコーディングフォーマットに従って前記動画像データを前記ディスク媒体に記録する動画記録モードと、ＤＣＦ規格に従って前記静止画データを前記ディスク媒体に記録する静止画記録モードとを任意に切り替えるモード切り替え手段と、前記動画記録モードにて記録された動画像データの数が、前記ＤＶＤビデオフォーマットまたはＤＶＤビデオレコーディングフォーマットにて規定された所定数に達したことを検出する検出手段と、前記検出手段により前記動画像データの数が前記所定値に達したことが検出された場合、前記ＤＣＦ規格に従って前記動画像データを記録するよう前記記録手段を制御する制御手段とを備える。
【００２１】
請求項１４記載の記録方法は、記録媒体に対して情報データを記録する記録ステップと、前記記録媒体に対して第１の規格に従い前記情報データを記録する第１のモードと、前記記録媒体に対して第２の規格に従い前記情報データを記録する第２のモードの一方を選択するモード切り替えステップと、前記第１の規格にて前記記録媒体に記録されている前記情報データの数が前記第１の規格に従う所定数に達したことを検出する検出ステップと、前記検出ステップの出力に応じて、前記第２のモードにて前記情報データを記録するよう前記記録ステップを制御する制御ステップとを備える。
【発明の効果】
【００２２】
本発明によれば、動画記録モードで記録コンテンツ数が所定の制限を超えたか否か判断し、記録コンテンツ数が所定の制限を超えた場合、その旨表示するとともに、静止画記録モードに切替えるので、静止画の記録規格に準じて動画を記録することができる。従って、記録規格制限の上限を超えた場合においても、適正コストと処理負荷内での記録を可能にする。
【発明を実施するための最良の形態】
【００２３】
以下、本発明の実施の形態を図面を参照しながら詳細に説明する。
【００２４】
図１は、本発明の実施の形態に係る記録装置としての撮像装置のブロック構成を概略的に示す図である。
【００２５】
図１において、撮像装置１００は、映像を取り込むレンズ１０１、映像を電気信号に変換する固体センサ１０２、映像をデジタルデータに変換するＡ／Ｄ変換器１０３、アイリス１０４、レンズ１０１とアイリス１０４を駆動するモータ１０５を備える。
【００２６】
また、撮像装置１００は、音声を取り込むマイク１０６、音声を増幅するマイクアンプ１０７、音声をデジタルデータに変換するＡ／Ｄ変換器１０８、撮像装置１００を操作する操作キー１０９、映像を表示形式にする表示ドライバ１１０を備える。
【００２７】
また、撮像装置１００は、映像を表示するためのＬＣＤ、ＥＶＦなどの表示器１１１、音声を出力するためのスピーカドライバ１１２、スピーカ１１３、諸情報を入出力する外部入出力端子１１４、各種のセンサ１１５を備える。
【００２８】
また、撮像装置１００は、記録再生回路１１７、システムを制御するＣＰＵ１１８、ＣＰＵ１１８の制御プログラムを格納するメモリ１１９、各回路ブロックに電力を供給する電源１２０を備える。
【００２９】
次に、図１の撮像装置１００における記録動作を説明する。
【００３０】
レンズ１０１を通って入射した被写体からの光は、固体センサ１０２で電気信号に変換される。そして、Ａ／Ｄ変換器１０３によってサンプリングされてデジタルデータに変換される。デジタルデータは、輝度Ｙ、色差Ｃｒ、Ｃｂまたは、ＲＧＢなどのデジタル映像信号として、ＣＰＵ１１８に入力される。
【００３１】
レンズ１０１は、オートフォーカス機能とズーム機能により、ＣＰＵ１１８の制御命令でモータ１０５を駆動し移動させる。固体センサ１０２からデータを引き出すためのタイミング信号は、ＣＰＵ１１８により生成される。アイリス１０４は、ＣＰＵ１１８よりモータ１０５の駆動で制御がなされる。
【００３２】
また、レンズ１０１が、防振アクチュエータを備え、防振機能を有している場合は、加速度センサと位置センサの信号がＣＰＵ１１８に入力され、ＣＰＵ１１８からの防振制御出力信号により、防振アクチュエータをモータ１０５で駆動制御する。マイク１０６より得られた音声は、マイクアンプ１０７で増幅され、Ａ／Ｄ変換器１０８によりサンプリングされ、デジタル音声信号に変換されて、ＣＰＵ１１８に入力される。
【００３３】
デジタル映像信号は、ＣＰＵ１１８で、色分離、白バランス、ガンマ補正、アパーチャ補正などの基本処理と、撮像装置１００の操作キー１０９で設定された、画像サイズ、画質調整、位置調整などの付加処理を行う。更に、デジタル映像信号は、設定された圧縮方法と圧縮パラメータによってＭＰＥＧ２の画像圧縮処理を行い、画像圧縮データを得る。
【００３４】
デジタル音声信号は、撮像装置１００の操作キー１０９で設定された、音質調整などの付加処理を行い、設定された圧縮方法と圧縮パラメータによって音声圧縮データになる。
【００３５】
本実施の形態では、画像圧縮データと音声圧縮データはＭＰＥＧ規格を採用し、ストリーム形式は、制御データと共にＭＰＥＧ規格で定められる、プログラムストリームとしてデータストリームを形成する。そして、ＤＶＤ−ＶＲ規格など所定の動画規格で記録し、ＤＣＦ規格などの静止画規格で記録する。
【００３６】
記録媒体１１６は、ＤＶＤ−Ｒとするが、ＭＭＣ、ＳＳＦＤＣ、ＳＤ、コンパクトフラッシュ(登録商標)、ＰＣカードなどのメモリカード、あるいはハードディスク、ＣＤ−ＲＷ、ＦＤ、ＭＤ、ＤＶＤ−ＲＡＭなどの磁気（あるいは光磁気）記録メディアなども適応できる。
【００３７】
また、本実施の形態では、動画記録規格はＤＶＤ−ＶＲなど、静止画記録規格はＤＣＦなどとしたが、前記規格に制限されるものではなく、ＤＶＲ−Ｖｉｄｅｏなどの記録コンテンツ数に上限がある規格において、全て適応することができる。
【００３８】
図２は、図１における操作キーの詳細を示す図である。
【００３９】
図２において、操作キー１０９は、“巻き戻し”、“停止”、“再生”、“早送り”などの操作キーと、動画記録モードと静止画記録モードとを切り替える“動画／静止画モード切替”のタクトキーを配置している。前記動画／静止画モード切替のタクトキーの操作で、動画規格で動画を記録するか、静止画規格で静止画を記録するかを操作者が選択する。
【００４０】
図３、図４は、図１における記録媒体に記録される動画ファイルと静止画ファイルのフォルダ例を示す図である。
【００４１】
図３において、ＲＯＯＴフォルダの下に、動画規格のディレクトリ（フォルダ）としてＶＩＤＥＯ、静止画規格のディレクトリ（フォルダ）としてＤＣＩＭが存在している。ＶＩＤＥＯフォルダの下に、管理用のフォルダＭＡＮＡＧフォルダがあり、その下に、記録媒体の属性などが記述されたｄｉｓｋ．ｉｎｆファイル、記録媒体１１６に記録される動画コンテンツファイルの全体を管理するファイルｍｇｒｉ００１．ｉｎｆがある。
【００４２】
また、ＶＩＤＥＯフォルダ下の、ＰＲＧ０００１フォルダ以下に、動画コンテンツファイル群ｉｍｇｘｘｘｘ．ｍｐｇ（ｘｘｘｘは任意の通し番号）と、ｉｍｇｘｘｘｘ．ｉｎｆ（ｘｘｘｘは任意の通し番号）とが一対になって保存される。
【００４３】
ｉｍｇｘｘｘｘ．ｉｎｆ（ｘｘｘｘは任意の通し番号）は、記録媒体１１６に記録される動画コンテンツファイル群のタイトル、検索用のテーブル、属性付加情報、メインテナンス情報、ＭＰＥＧデータストリームのタイムスタンプ、構造情報などである。ＰＲＧ０００１のフォルダ以下の動画ファイルが、所定数以上になった場合、ＰＲＧ０００２のフォルダが新規作成され、その下に動画ファイルが保存されていく。
【００４４】
ＤＣＩＭフォルダの下には、１００ＣＡＮＯＮのフォルダの下に、静止画コンテンツファイル群ｉｍｇｘｘｘｘ．ｊｐｇ（ｘｘｘｘは任意の通し番号）が保存される。１００ＣＡＮＯＮのフォルダ以下の静止画ファイルが、所定数以上になった場合、１０１ＣＡＮＯＮのフォルダが新規作成され、その下に静止画ファイルが保存されていく。
【００４５】
また、ＲＯＯＴディレクトリの下にDigital  Print  Order  Format（ＤＰＯＦ）で規定されるＭＩＳＣフォルダがあり、その下に上記規格で規定されるａｕｔｐｒｉｎｔ．ｍｒｋファイルを配置している。ＲＯＯＴディレクトリには、一般的に、任意の規格構成のフォルダやファイルを置くことが可能である。
【００４６】
ここで、動画規格として、管理ファイルで管理できる最大の動画ファイルは“９９９“という制限がある場合の記録動作を説明する。
【００４７】
動画記録規格において、９９９ファイルの次に記録することは不可能であるが、本実施の形態では、９９９ファイルの次の記録開始で、まず、表示器１１１に“シーン数がいっぱいです。録画モードを切替えます”と表示する。
【００４８】
図５は、図１における表示器の表示例を示す図である。
【００４９】
図５において、動作モードＡには“記録”が表示され、カウンタＢには記録時間“０：１２：１１”が表示され、記録時間残量Ｃには“１５分”が表示され、表示Ｄには、“シーン数がいっぱいです。録画モードを切替えます”と表示される。
【００５０】
その後、記録動作モードを、動画記録モードから、静止画記録モードに自動的に移行する。その場合、記録動作モードの表示がある場合、静止画記録モード表示、または、“動画→静止画記録モード“などのように状態が変化したことを表示する。
【００５１】
そして、本実施の形態では、ＭＰＥＧ４規格の圧縮方式で記録を行い、生成ファイルを図３中のＡで示す“ＲＯＯＴ／ＤＣＩＭ／１００ＣＡＮＯＮ／ｉｍｇ００１０．ｍｐ４”として保存する。
【００５２】
上記動画圧縮方式は、ＭＰＥＧ４規格としたが、９９９まで記録したＭＰＥＧ２など圧縮方式はどのような形式でも対応可能である。一旦記録停止した場合は、静止画記録モードから動画記録モードに移行するか、静止画記録モードのままとするかは製品仕様において選択自由である。
【００５３】
しかし、動画記録モードに移行した場合に、次回の記録を開始した場合は、上記操作を繰り返し記録ファイルは“ＲＯＯＴ／ＤＣＩＭ／１００ＣＡＮＯＮ／ｉｍｇ００１１．ｍｐ４”のように追加していく。
【００５４】
動画記録規格のファイル数の制限を超えて追加されたファイルの管理は、ＶＩＤＥＯディレクトリ以下の動画記録規格の管理ファイルに登録する必要はない。しかし、“ＲＯＯＴ／ＶＩＤＥＯ／ＭＡＮＧ／ｍｇｒｉ００１．ｉｎｆ”ファイル内に、追加ファイルの管理情報を記述することや、追加ファイルの存在を示すだけの情報を記述することは可能である。
【００５５】
図４は、図３の追加ファイルの記録位置を変えた別例であり、ＲＯＯＴディレクトリ以下、ＶＩＤＥＯ、ＤＣＩＭは図３と同じである。
【００５６】
この場合も、動画記録規格において、９９９ファイルの次に記録することは不可能であるが、本例も、その後の表示、モード切替え動作、記録圧縮方式などは前述の説明と同じである。そして、追加動画記録ファイルの記録位置を、図４中のＢで示す“ＲＯＯＴ／ＥＸＴ／ｉｍｇ００１０．ｍｐ４”として保存する。
【００５７】
本例では、動画記録規格のファイル数の制限を超えて追加されたファイルの管理は、“ＲＯＯＴ／ＥＸＴ／ｉｍｇ００１０．ｉｎｆ”で行う。上記ｉｍｇ００１０．ｉｎｆが記載されていることを、“ＲＯＯＴ／ＶＩＤＥＯ／ＭＡＮＧ／ｍｇｒｉ００１．ｉｎｆ”ファイル内に、記述することや、追加ファイルの存在を示すだけの情報を記述することも可能である。
【００５８】
次に、再生時の処理について説明する。
【００５９】
図１の操作キー１０９により、再生モードの指示があると、ＣＰＵ１１８は、記録媒体１１６に記録されている各コンテンツの画像データを再生し、その先頭画面をデコードしてサムネイル画像を生成する。そして、この各コンテンツを代表するサムネイル画像のデータを表示ドライバ１１０に送り、図６に示すサムネイル一覧画面を表示器１１１に表示する。
【００６０】
図６は、図１における表示器に表示される、記録媒体に動画記録した場合のインデックスの再生表示例を示す図である。
【００６１】
図６において、表示器１１１は、動画記録コンテンツのサムネイル６００乃至６０４、インデックス表示を前ページに戻すボタン６０５、インデックス表示を後ページに戻すボタン６０６、カウンタ６０７を表示する。カウンタ６０７は、記録動画コンテンツ全数（１００２枚）の中で、現在カーソルが当たっている（例ではサムネイル６００）サムネイルが９９８番目であることを示す。
【００６２】
図６の表示例で、サムネイル６００と６０１は、動画記録規格上限数９９９までの動画記録コンテンツである。サムネイル６０２、６０３、６０４は、上記動画記録規格上限数を超えていたため、前述記録方式によって別ディレクトリに記録されていることが判別できるように、表示形態を変えて表示している。
【００６３】
そのため、この記録媒体１１６を他の再生機器で再生するためにファイナライズなどの操作を行った場合、サムネイル６０２、６０３、６０４はその再生機器で再生できないことが容易に判別できる。また、上記ファイナライズ操作時に、“登録できないコンテンツが３つあります”などの警告表示をすることも有効である。
【００６４】
また、動画規格配下の動画記録コンテンツを操作者が消去した場合、前述の記録方式で、動画記録規格上限数以上記録されて別ディレクトリに記録されているコンテンツがある場合は、そのコンテンツを、動画記録規格配下のディレクトリに移動する。そして、上記規格に登録することも可能である。更に、動画規格配下の動画記録コンテンツとそれ以外のコンテンツを、コピー、移動する機能なども実現できる。
【００６５】
前述のファイナライズを行う場合、サムネイル６０２、６０３、６０４に対応する動画コンテンツは他の再生機器で再生できないことになる。しかし、動画記録規格において、動画規格用の管理情報の中の現在使用されていない（リザーブ）管理フラグにその旨記述すれば、再生機器がそのフラグを判定して、“３つのシーンがファイナライズされていません”などの警告表示を行うことは可能である。
【００６６】
ユーザは、図６の画面を見ながら操作キー１０９を操作し、再生したいコンテンツのサムネイルを選択する。そして、再生を指示すると、ＣＰＵ１１８は、指定されたサムネイルに対応するコンテンツのデータを記録媒体１１６から再生し、デコードして表示器１１１に表示し、また、外部入出力端子１１４より出力する。
【００６７】
図７は、図１の撮像装置によって実行される動画記録処理の手順を示すフローチャートである。
【００６８】
本処理は、図１におけるＣＰＵ１１８によって実行される。
【００６９】
図７において、まず、動画記録のタスクを起動すると、記録媒体１１６の残量（ディスク残量）があるか否かをチェックする（ステップＳ７０１）。残量がなければこの処理を終了する。残量がある場合は、動画記録規格において記録コンテンツ数の上限を超えているか否かをチェックする（ステップＳ７０２）（動画記録制限手段）。
【００７０】
制限以下ならばステップＳ７０７に移行する。制限を超えている場合は、“シーン数がいっぱいです。録画モードを切替えます”などの表示を行い、動画記録モードから静止画記録モードにモードを変更する（ステップＳ７０３）（警告表示・モード切替手段）。
【００７１】
次に、静止画記録規格の記録コンテンツ数の上限を超えているか否かをチェックする（ステップＳ７０４）。制限以下ならばステップＳ７０７に移行する。制限を超えている場合は、“ＲＯＯＴ／ＥＸＴ”ディレクトリが存在するか否かをチェックする（ステップＳ７０５）。既に存在していればステップＳ７０７に移行する。
【００７２】
存在していなければ、ディレクトリを作成して（ステップＳ７０６）（デイレクトリ作成手段）、動画記録を開始する（ステップＳ７０７）。そして、ディスク残量を監視する（ステップＳ７０８）。残量が所定値以下（残量無し）ならば、ステップＳ７１０に移行する。所定値を超えていれば、記録停止操作がされているか否かをチェックする（ステップＳ７０９）。
【００７３】
記録停止操作が行われていなければ、ステップＳ７０７に戻り、記録を継続する。停止操作が行われていれば、記録停止処理を行い（ステップＳ７１０）、動画記録を停止し、作成された動画記録ファイルをファイルシステムに登録して（ステップＳ７１１）処理を終了する。
【００７４】
上記ファイルは、動画記録コンテンツ数を規格上、超えない場合と超えた場合、また、上記コンテンツ数が超えて、かつ、静止画記録コンテンツ数が規格上超えた場合と超えない場合、異なるディレクトリに登録される。また、動画管理ファイルが存在する場合は、上記各条件で、異なる動画管理ファイルにそれぞれ追加される。
【００７５】
以上のように、本実施の形態によれば、記録規格制限の上限を超えた場合においては、記録モードの設定状態にかかわらず、記録モードを自動的に切り替えることによって、操作者がストレスなく次の操作を行える効果がある。
【００７６】
また、記録規格制限の上限を超えた場合において、静止画記録モードを自動的に切り替え、静止画の記録規格に準じて動画を記録することができるので、撮影タイミングを逃すことなく連続して撮影することができる効果がある。
【００７７】
また、動画記録モードで記録コンテンツ数が所定の制限を超えた場合、動画規格または静止画規格のディレクトリ以外のディレクトリに動画を記録することで、撮影タイミングを逃すことなく連続して撮影することができる効果がある。更に、撮影のコンテンツの再生または編集が容易に行える効果がある。
【００７８】
また、作業用のメモリと処理負荷を必要としないため、民生機器としてコスト、処理負荷を低く抑えられる効果がある。
【００７９】
なお、前述の実施形態では、動画規格で記録されたコンテンツが９９９となった場合に、静止画規格に従い動画データを記録したが、この制限数は９９９に限らず、動画の記録規格に従う所定値とすることができる。
【００８０】
また、前述の実施形態では、動画像と静止画像とをそれぞれ動画規格、静止画規格に従って記録する装置について説明したが、動画、静止画以外にも、情報データを複数の規格に従って記録する装置にたいしても本発明を同様に適用可能である。
【００８１】
また、本発明の目的は、実施の形態の機能を実現するソフトウェアのプログラムコードを記録した記録媒体を、システムまたは装置に供給し、そのシステムまたは装置のコンピュータ（またはＣＰＵやＭＰＵなど）が記録媒体に格納されたプログラムコードを読み出して実行することによっても達成される。
【００８２】
この場合、記録媒体から読み出されたプログラムコード自体が前述した実施の形態の機能を実現することになり、そのプログラムコード及び該プログラムコードを記憶した記録媒体は本発明を構成することになる。
【００８３】
また、プログラムコードを供給するための記録媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭなどを用いることができる。または、プログラムコードをネットワークを介してダウンロードしてもよい。
【００８４】
また、コンピュータが読み出したプログラムコードを実行することにより、上記実施の形態の機能が実現されるだけでなく、そのプログラムコードの指示に基づき、コンピュータ上で稼動しているＯＳ（オペレーティングシステム）などが実際の処理の一部または全部を行い、その処理によって前述した実施の形態の機能が実現される場合も含まれる。
【００８５】
更に、記録媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行い、その処理によって前述した実施の形態の機能が実現される場合も含まれる。
【図面の簡単な説明】
【００８６】
【図１】本発明の実施の形態に係る記録装置としての撮像装置のブロック構成を概略的に示す図である。
【図２】図１における操作キーの詳細を示す図である。
【図３】図１における記録媒体に記録される動画ファイルと静止画ファイルのフォルダ例を示す図である（その１）。
【図４】図１における記録媒体に記録される動画ファイルと静止画ファイルのフォルダ例を示す図である（その２）。
【図５】図１における表示器の表示例を示す図である。
【図６】図１における表示器に表示される、記録媒体に動画記録した場合のインデックスの再生表示例を示す図である。
【図７】図１の撮像装置によって実行される動画記録処理の手順を示すフローチャートである。
【符号の説明】
【００８７】
１１６  記録媒体
１１８  ＣＰＵ
【図１】
2007295070.tif 000003
【図２】
2007295070.tif 000004
【図３】
2007295070.tif 000005
【図４】
2007295070.tif 000006
【図５】
2007295070.tif 000007
【図６】
2007295070.tif 000008
【図７】
2007295070.tif 000009